(57)【要約】【課題】高デューティ駆動しても視角度特性に優れた高コントラスト比の画像表示を可能とするパッシブマトリクス型液晶表示素子を提供する。【解決手段】液晶表示素子１は、位相差補償層を有して構成されたＶＡモード液晶表示素子である。垂直配向処理された一対の基板に挟持された負の誘電異方性の液晶層を有する液晶セル２と、液晶セル２を挟持し、互いにクロスニコル配置された一対の視認者側偏光板３，４と、偏光板３，４のうちの少なくとも一方と液晶セル２との間に設けられた位相差補償層５とを有する。位相差補償層５の進相軸と電圧印加時の液晶層の配向方向とのなす角度は、偏光板の吸収軸と電圧印加時の液晶層の配向方向とのなす角度より小さく且つ０度を超え５０度未満となるように設定されている。【選択図】図１
2007163852.tif 000002
【特許請求の範囲】
【請求項１】
対向するそれぞれの表面に電極層が形成された、少なくとも一方が透明である一対の基板で負の誘電異方性を有する液晶層を挟持することにより構成される液晶セルと、前記液晶セルを挟持する一対の偏光板とを備え、前記液晶セルの基板の電極層を介して前記液晶層に電圧を印加することによって、表示部で画像を表示する液晶表示素子において、
前記一対の基板の少なくとも一方の基板について、他方の基板との対向面に垂直配向性の配向膜が設けられ、該配向膜は電圧印加時の前記液晶層の配向方向を規定するよう配向処理が施されており、
前記一対の偏光板は、一方の偏光板の吸収軸と他方の偏光板の吸収軸との交差角度が９０°±５°になるように配置されており、
前記一対の偏光板の少なくとも一方と前記液晶セルとの間には、リタデーションを有する位相差補償層が備えられ、該位相差補償層の進相軸と電圧印加時の前記液晶層の配向方向とのなす角度は、偏光板の吸収軸と電圧印加時の前記液晶層の配向方向とのなす角度より小さく且つ０度を超え５０度未満となるように設定されており、
前記表示部の開口率は７０％以下であることを特徴とする液晶表示素子。
【請求項２】
前記位相差補償層のリタデーションの値は、前記液晶表示素子の構成において発現するリタデーションの大きさが前記液晶層のリタデーションの値の０％より大きく且つ３％以下であるように設定されていることを特徴とする液晶表示素子。
【請求項３】
前記液晶表示素子は、パッシブマトリクス型の液晶表示素子であることを特徴とする請求項１または２のいずれかに記載の液晶表示素子。
【発明の詳細な説明】
【技術分野】
【０００１】
本発明は、液晶表示素子に関し、特に、車載用途にも使用可能なＶＡモード液晶表示素子に関する。
【背景技術】
【０００２】
一般に、透過型の液晶表示素子は、所定の方向に配向した数μｍ程度の極薄い液晶層と、この液晶層を挟持する透明な一対の薄い基板と、さらに、この基板を挟持して偏光子および検光子を構成する一対の偏光板とを有する。ここで、液晶層が設けられる側の基板面には、所定の形状にパターニングされた電極が形成されている。そして、この電極を介して液晶層に電圧を印加すると、液晶の配向が変化して、液晶表示素子を透過する光の量または波長が変わる。これにより、所望の表示を行うことが可能となる。
【０００３】
このように、液晶表示素子は、比較的単純な構造からなっている。また、構成部材の選択によって薄型化および軽量化が容易であり、また、低電圧での駆動も可能であることから、近年では、民生用のみならず車載用の表示素子としても盛んに利用されている。
【０００４】
ところで、液晶表示素子は、液晶層の初期配向状態並びに電圧印加時の動作状態および配向状態などから、いくつかのモードに分類される。例えば、液晶テレビや、自動車などの車両のインストルメントパネルなどいわゆる車載用に利用される液晶表示素子には、ＶＡ（Ｖｅｒｔｉｃａｌ  Ａｌｉｇｎｍｅｎｔ）モードが用いられる（例えば、特許文献１および２参照。）。ＶＡモードは、正面から見たときのコントラスト比が高く、また、視野角度が広いことから、視認性に優れたモードである。
【０００５】
ＶＡモードは、一対の基板間に、初期配向状態が基板と概ね垂直（垂直配向）な負の誘電率異方性（Δε）を有する液晶層を挟持し、さらに、この基板を、通常はクロスニコルを構成するように配置した一対の偏光板で挟持することによって構成される。そして、基板面に形成された電極を介して液晶層に電圧を印加すると、液晶の配向が変化して、液晶層が電界に対して垂直、すなわち、液晶の配向方向が基板と平行になる。これにより、電圧を印加した部分と印加していない部分とで、液晶の屈折率異方性（Δｎ）と液晶層厚（ｄ）との積（Δｎ・ｄ）によって定まる光の透過特性、特に、色味に違いが生じる。この違いを利用することによって、所望の表示を行うことができる。
【０００６】
【特許文献１】特開平１１−１３３４１３号公報
【特許文献２】特開２０００−１９５１８号公報
【発明の開示】
【発明が解決しようとする課題】
【０００７】
上述したように、ＶＡモードでは、電圧無印加時に、液晶層がそれを挟持する一対の基板に対し略垂直な配向をしている。そのため、電圧無印加時においては、液晶表示素子を透過する光は具備するクロスニコル配置された偏光板の作用により遮光される。
【０００８】
例えば、バックライトを併用する透過型モードにおいては、バックライトからの光が液晶表示素子により遮光されることによって、良好な黒表示としてのＯＦＦ表示が得られる。そして、電圧を印加すると、液晶に配向変化が起こることによって偏光板の間を光が透過するようになり、液晶表示素子においてＯＮ表示が得られるようになる。
【０００９】
すなわち、ＶＡモードにおいては、高いコントラスト比のネガ表示（ノーマリーブラック表示）による画像表示が実現できる。このため、ＶＡモードは、ＴＦＴ（Ｔｈｉｎ  Ｆｉｒｍ  Ｔｒａｎｓｉｓｔｏｒ）などの能動素子を表示画素毎に設けたアクティブマトリクス型液晶表示素子として盛んに利用されている。
【００１０】
また、ＶＡモードは、その高いコントラスト比と広い視野角度特性が着目され、キャラクター表示なども行うパッシブマトリクス型の液晶表示素子への適用が盛んに検討されている。
【００１１】
しかし、ＶＡモードをパッシブマトリクス型に応用しようとする場合、印加電圧（Ｖ）に対する液晶表示素子の透過率（Ｔ）変化の緩慢さ（所謂Ｖ−Ｔ特性の緩慢さ）が問題となることがある。すなわち、視野角度が狭いもののＶ−Ｔ特性の優れた急峻性によって、パッシブマトリクス型液晶表示素子として多用されているＳＴＮ（Ｓｕｐｅｒ  Ｔｗｉｓｔ  Ｎｅｍａｔｉｃ）モードなどの液晶モードに比べると、Ｖ−Ｔ変化の急峻さの不足が問題となることがある。
【００１２】
パッシブマトリクス型液晶表示素子を駆動して画像表示を行う場合、その駆動のデューティ（Ｄｕｔｙ）比に対応してＯＦＦ電圧の設定とＯＮ電圧の設定を行う必要がある。この場合、ＯＦＦ電圧として電圧無印加である０Ｖを、ＯＮ電圧として液晶表示素子の最高透過率を示す電圧を同時に設定することが必ずしも可能となるわけではない。
【００１３】
よって、液晶表示素子が、電圧無印加時に非常に低い透過率のＯＦＦ表示（優れた黒表示）を示し、可能な限りの高い電圧印加により非常に高い透過率を示して優れたＯＮ表示が可能であるとしても、電圧印加による透過率の変化が緩慢な液晶表示素子、すなわち、電圧印加に従ってだらだらと透過率が上昇し続けるようなＶ−Ｔ特性を持つ液晶表示素子では、デューティ駆動によるパッシブマトリクス型液晶表示素子として使用することが困難となることがある。
【００１４】
つまり、液晶表示素子をデューティ駆動のパッシブマトリクス型に応用しようとする場合、デューティ比に従って確保できるＯＮ電圧の設定値とＯＦＦ電圧の設定値との差が自ずと決まってしまう。このため、ＯＮ表示を重視してＯＮ電圧をい値に設定した場合には、ＯＦＦ電圧が比較的高い値に設定されてしまう場合がある。
【００１５】
特に、ＶＡモードではＶ−Ｔ変化が緩慢であるので、ＯＮ表示時の透過率を重視してＯＮ電圧が設定された場合、十分に低い透過率を示すＯＦＦ電圧の設定ができなくなってしまう。その結果、設定されたＯＦＦ電圧を印加した時の透過率が高くなることによって、ＯＦＦ時の黒表示において、いわゆる「浮き」が生じ、表示画像のコントラスト比が低下してしまうことがある。一方、ＯＦＦ表示の黒さを重視した場合には、ＯＮ透過率が低下することによって、暗い表示となってしまうこともある。
【００１６】
従って、ＶＡモードをデューティ駆動のパッシブマトリクス型に応用しようとする場合には、Ｖ−Ｔ特性の急峻性の改善が必要となる。
【００１７】
ＶＡモードにおいて、こうした問題を解決し、かかるＶ−Ｔ特性の急峻性を向上させようとする場合、液晶表示素子のリタデーション（Δｎｄ）を比較的高めに設定する方法が考えられる。
【００１８】
図６は、ＶＡモードにおいて、Δｎｄを高く設定した場合のＶ−Ｔ特性に与える影響を模式的に示すＶ−Ｔ曲線である。図６において、Δｎｄを高めに設定すると、破線で示す曲線から実線で示す曲線へと変化する。すなわち、図６より、Δｎｄを高くすることによって、Ｖ−Ｔ特性の急峻性は、特に透過率が大きく変化する印加電圧領域において向上することがわかる。しかしながら、そのような大きく透過率が変化する印加電圧領域より小さな値の電圧印加領域においては、電圧の印加に従い透過率がだらだらと高くなる現象が同時に発現していることもわかる。
【００１９】
従って、Δｎｄを比較的高い値に設定することによってＶ−Ｔ特性の急峻性を向上させたＶＡモードを、デューティ駆動のパッシブマトリクス型に応用しようとすると、設定したＯＦＦ電圧を印加した時の透過率が高くなって、いわゆる黒表示時の浮きが生じ、画像のコントラスト比が低下してしまうという問題があった。
【００２０】
また、液晶表示素子のΔｎｄを大きくしようとする場合には、液晶の屈折率異方性であるΔｎを大きくするか、または、液晶層の厚みであるｄを大きくする必要がある。しかしながら、こうした液晶表示素子のパラメータ変化は、いずれも液晶の応答速度を低下させる方向の変化であり、ＶＡモードにおける応答速度特性の低下を招いてしまう。したがって、このような手法のみで問題を解決しようとすることは好ましくない。
【００２１】
したがって、ＶＡモードにおいて、液晶層のΔｎと厚みに依存するリタデーションの値を増大させる方法以外の方法、または、この方法と組み合わせることによってＶ−Ｔ特性を向上させる方法が求められている。
【００２２】
本発明は、こうした問題点に鑑みてなされたものである。すなわち、本発明の目的は、急峻なＶ−Ｔ特性を備えており、パッシブマトリクス型への応用が可能であって、優れたコントラスト比の表示と視野角度特性を実現できる液晶表示素子を提供することにある。
【００２３】
本発明の他の目的および利点は以下の記載から明らかとなるであろう。
【課題を解決するための手段】
【００２４】
本発明は、対向するそれぞれの表面に電極層が形成された、少なくとも一方が透明である一対の基板で負の誘電異方性を有する液晶層を挟持することにより構成される液晶セルと、前記液晶セルを挟持する一対の偏光板とを備え、前記液晶セルの基板の電極層を介して前記液晶層に電圧を印加することによって、表示部で画像を表示する液晶表示素子において、前記一対の基板の少なくとも一方の基板について、他方の基板との対向面に垂直配向性の配向膜が設けられ、この配向膜は電圧印加時の前記液晶層の配向方向を規定するよう配向処理が施されており、前記一対の偏光板は、一方の偏光板の吸収軸と他方の偏光板の吸収軸との交差角度が９０°±５°になるように配置されており、前記一対の偏光板の少なくとも一方と前記液晶セルとの間には、リタデーションを有する位相差補償層が備えられ、この位相差補償層の進相軸と電圧印加時の前記液晶層の配向方向とのなす角度は、偏光板の吸収軸と電圧印加時の前記液晶層の配向方向とのなす角度より小さく且つ０度を超え５０度未満となるように設定されており、前記表示部の開口率は７０％以下であることを特徴とするものである。
【００２５】
本発明において、前記位相差補償層のリタデーションの値は、前記液晶表示素子の構成において発現するリタデーションの大きさが前記液晶層のリタデーションの値の０％より大きく且つ３％以下であるように設定されていることが好ましい。
【００２６】
また、本発明における液晶表示素子は、パッシブマトリクス型の液晶表示素子とすることができる。
【発明の効果】
【００２７】
本発明によれば、ＶＡモードにおいて液晶セルと偏光板の間に位相差補償層を設け、そのリタデーションの値と、その進相軸と電圧印加時の液晶層配向方向とのなす角度を調整することにより、Ｖ−Ｔ特性の急峻性が改善され、その結果、デューティ駆動しても視角度特性に優れた高コントラスト比の画像表示を可能とすることができる。
【発明を実施するための最良の形態】
【００２８】
図１は、本実施の形態における液晶表示素子１の部分断面図である。尚、液晶表示素子１は、ＶＡモード液晶表示素子であるとする。
【００２９】
図１において、液晶表示素子１は、対向するそれぞれの表面に電極層（図示せず）が形成された一対のガラス基板（図示せず）と、この一対の基板に挟持された負の誘電異方性の液晶層とを備えた液晶セル２を有する。そして、液晶セル２を構成する一対の基板における液晶層との対向面とは反対側の面上に配置され、液晶セル２を挟持し、互いにクロスニコル配置された一対の視認者側偏光板（以下、Ｆ偏光板と称する。）３および反視認者側偏光板（以下、Ｒ偏光板と称する。）４とを有する。そして、Ｆ偏光板３と液晶セル２との間にはリタデーションを有する位相差補償層５が設けられている。尚、クロスニコル配置とは、一方の偏光板の吸収軸と他方の偏光板の吸収軸との交差角度が９０°±５°になるような配置を言う（以下、本明細書において同じ。）。
【００３０】
液晶セル２を構成する、表面に電極層が形成された一対の基板においては、それぞれ他方の基板との対向面に垂直配向処理が施されている。そしてさらに、電圧印加時の液晶層の配向方向を規定するための配向処理が、併せて施されている。よって、液晶層では、液晶が初期配向状態として、配向方向に僅かに傾いた状態であって実質的に垂直な配向をする。電圧印加時においては、液晶層はそこから一定の方向に倒れて、液晶セル２を構成する基板と平行になるように動作する。
【００３１】
また、液晶層を構成する液晶は負の誘電率異方性を有しており、液晶セル２の基板表面の電極層を介して液晶層に電圧を印加し、液晶を基板と平行になるように動作させると、上記した配向処理方向に規定される液晶層の配向変化が生じ、液晶層の光学異方性が変化して液晶表示素子の表示部に画像が表示される。
【００３２】
このとき、偏光板３と液晶セル２との間に設けられたリタデーションを有する位相差補償層５の配置については、この位相差補償層の進相軸と電圧印加時の液晶層の配向方向とのなす角度が、偏光板の吸収軸と電圧印加時の前記液晶層の配向方向とのなす角度より小さく且つ０度以上５０度未満となるように設定されていることが望ましい。位相差補償層を設け、このような設定を行うことにより、下記に説明するように、液晶表示素子１において高コントラスト比の表示画像が得られる。
【００３３】
位相差補償層５のリタデーションの大きさは、液晶層のリタデーションの値の０％より大きく且つ３％以下であることが好ましい。さらに好ましくは、０％より大きく且つ２％以下に設定する。上記の位相差補償層の配置角度設定と併せてこのような設定を行うことにより、下記でも説明するように、液晶表示素子１のＯＦＦ時において、表示部内の電極層領域である画素部分と、その周辺領域との見栄えの差異が少なくなり、ＯＦＦ時も自然な見栄えの優れた表示画像が得られる。特に、２％以下に設定すると、差異が視認できなくなり、見栄えをさらに向上させることができる。
【００３４】
液晶セル２を構成する基板の表面に形成された電極層の構造は、キャラクター表示を含む画像の表示が可能なように設計されており、表示部の開口率は７０％以下である。従って、表示部において画素部分ではない周辺領域が大きく、上記したような位相差補償層５の設定により、液晶表示素子１においてＯＦＦ時において表示部内の画素部分と周辺領域との見栄えの差異が少なくなり、自然な見栄えが得られることはより重要となる。
【００３５】
次に、液晶表示素子１の製造方法の一例について説明する。
【００３６】
まず、一対のガラス基板の上に、所望の画像表示ができるようにパターニングされた電極層を設ける。電極層は、例えば、ＩＴＯ（Ｉｎｄｉｕｍ  Ｔｉｎ  Ｏｘｉｄｅ）電極とすることができる。
【００３７】
次いで、ガラス基板の上に、電極層を被覆するようにして絶縁膜を設ける。絶縁膜は、例えば、ゾル−ゲル法によって形成されたＳｉＯ２−ＴｉＯ２からなる膜とすることができる。
【００３８】
次に、液晶層において、液晶が初期配向状態として垂直に配向するように配向膜を形成する。例えば、ＪＳＲ株式会社製の配向膜材料（商品名：ＪＡＬＳ−２０２１）をフレキソ印刷法にて成膜し、基板を１８０℃で焼成することによって、厚さ６００Å程度の配向膜を形成することができる。次いで、配向膜の表面にラビング処理を施して、上記した電界印加時の液晶の動作方向を定める。
【００３９】
次に、配向膜の形成工程までを終えた基板によって、液晶層を挟み込む。この際、例えば、樹脂スペーサを用いることによって、基板の間の距離（ｄ）を一定に保つことができる。また、液晶層としては、例えば、屈折率異方性（Δｎ）が０．１３２５であるものを用いることができる。この場合、ｄ＝４．０μｍとすると、液晶セル２のリタデーション（Δｎ・ｄ）は５３０ｎｍとなる。
【００４０】
次に位相差補償層５を設ける。具体的には、液晶セル２の視認者側の面に一軸フィルムを配置する。このとき、一軸フィルムにおいて設定するリタデーション値の表現は、液晶表示素子１の構成において発現するリタデーションの値を用いて行いうことができ、液晶セル２のリタデーション値である５３０ｎｍの１．６９％の値となるように設定する。そして、配置の方向は、その一軸フィルムの進相軸の方向と電圧印加時の液晶層の配向方向とのなす角度が５度となるように設定する。
【００４１】
次に、Ｆ偏光板３およびＲ偏光板４の設置を行う。具体的には、位相差補償層５が表面に配設された液晶セル２を挟持して、Ｆ偏光板３およびＲ偏光板４がクロスニコル配置となるように貼り付ける。このとき、Ｆ偏光板３またはＲ偏光板４の吸収軸が、電圧印加時の液晶層の配向方向と４５度の角度をなすように設定する。
【００４２】
尚、詳細は図示されないが、本実施の形態における液晶表示素子１は、パッシブマトリクス構造である。すなわち、画像表示を構成する各画素部分には、ＴＦＴ等のスイッチング素子は設けられておらず、電極層を用いたパッシブ駆動によって目的の画像が表示される。液晶表示素子１について１/１６デューティー（１/１６Ｄｕｔｙ）駆動し、特性を調べたところ、ＯＮ透過率は１４．３％であった。なお、このとき液晶表示素子１の最低透過率は０．００５７％であり、この最低透過率を示す電圧をＯＦＦ電圧に設定した。
【００４３】
次に、本実施の形態の液晶表示素子１において、Ｖ−Ｔ特性を評価した結果の一例について述べる。
【００４４】
図２は、液晶表示素子１のＶ−Ｔ特性の特徴を模式的に示すＶ−Ｔ曲線の一例である。図２に示すように、液晶表示素子１のＶ−Ｔ曲線は、電圧を印加していくと、所定の印加電圧領域において、透過率が電圧無印加時の透過率Ｔ１より小さくなる。そして、最低透過率値Ｔ２を示した後、更なる電圧の印加によって透過率は急上昇する。このため、液晶表示素子１は、非常に急峻なＶ−Ｔ特性を示す。したがって、液晶表示素子１は、高デューティ駆動のパッシブマトリクス駆動においても、高コントラスト比の画像表示が可能となる。尚、液晶表示素子１のＴ２／Ｔ１の値は０．０５４である。
【００４５】
そして、液晶表示素子１をパッシブマトリクス駆動しようとする場合、最低透過率Ｔ２を示す電圧値付近を駆動時におけるＯＦＦ電圧として設定することが好ましい。そうすることにより、ＯＦＦ時の遮光度が高まって透過率が格段に低くなり、高レベルの沈んだ黒表示が得られる。一方、ＯＮ時には、高い透過率の表示が得られるので、高いコントラスト比の画像表示を実現することができる。
【００４６】
しかし、図２に示すように、電圧無印加時の透過率Ｔ１と最低透過率Ｔ２が異なることから、ＯＦＦ時の表示画像において問題が生じることもわかった。
【００４７】
その問題とは、液晶表示素子１において、最低透過率Ｔ２を示す電圧値付近をＯＦＦ電圧として設定した場合に、ＯＦＦ表示時において、表示部内の電極層が形成されている領域であってＯＦＦ電圧が印加されている画素部分と、電極層が配設されていないために、電圧印加の有無にかかわらず液晶層が垂直配向の状態のまま動作をしない周辺部分の透過率とが異なってしまう問題である。
【００４８】
すなわち、ＯＦＦ時においては、液晶表示素子１の表示部全体が、均一な沈んだ黒を表示している状態が好ましいが、画素部分の透過率と周辺部分の透過率が異なるために、電極層の配設された画素部分が目立ってしまって、不均一なＯＦＦ画像表示状態が発生する恐れがある。
【００４９】
このような問題は、例えば、開口率７０％以下の表示画像構造、特に、キャラクター表示を目的とするような開口率の小さな表示画像構造において、特に問題となる。これは、表示部内の電極層の形成されている領域であって、電圧印加に伴って光が透過する画素部分に対して、電圧印加の有無にかかわらず、液晶層が垂直配向のままで動作をしない周辺領域の面積が大きいことによるものである。
【００５０】
そこで、位相差補償層５である一軸フィルムのリタデーションのみを変え、その他の構造は液晶表示素子１と全く同様とした液晶表示素子を、上述した製造方法に従って多数製造した。そして、まず、電圧無印加時の透過率と最低透過率との差と、一軸フィルムのリタデーションとの関係を調べた。
【００５１】
図３は、この液晶表示素子の構成において発現するリタデーションに対する、電圧無印加時の透過率と最低透過率との違いの関係を示す図である。図３において、ｘ軸は、各液晶表示素子の構成において発現するリタデーションの値を、液晶セルのリタデーションの値（図３では、パネルΔｎｄとして示される。以下、本明細書において同じ。）、すなわち５３０ｎｍで除した値を示す。ここで、図４のフィルムΔｎｄとは、各液晶表示素子の構成において発現するリタデーションの値を示す（以下、本明細書において同じ。）。一方、ｙ軸は、各液晶表示素子の最低透過率を電圧無印加時の透過率で除した値を示す。
【００５２】
図３より、本発明の液晶表示素子の構成において発現するリタデーション、すなわち使用する一軸フィルムのリタデーションが大きくなるほど、最低透過率の値は電圧無印加時の透過率の値より小さくなることがわかる。したがって、使用する一軸フィルムのリタデーションが大きくなるほど、最低透過率は小さくなる可能性があるものの、電極層の配設された画素部分が目立ってしまって、不均一なＯＦＦ画像表示状態が発生する恐れがある。
【００５３】
次に、最低透過率を示す電圧をＯＦＦ電圧に設定し、ＯＦＦ電圧を印加した状態であるＯＦＦ時において、周辺部分に対して、ＯＦＦ電圧の印加された画素部分が目立つか否か、そして、それによって不均一なＯＦＦ画面の印象を視認者に与えるか否かを調べた。
【００５４】
ＯＦＦ時において、周辺部分に対してＯＦＦ電圧の印加された画素部分が、透過率の違いにより目立つか否かの印象は、視認者にとって色差として認識される。そして、ΔＥ*ｕ*ｖ*表示において、画素部分と周辺部分における色差が３を超えると、ＯＦＦ表示において画素部分の存在が感じられて不均一な画像の印象を視認者に与える。ここで、液晶表示素子１では、画素部分と周辺部分における色差が１．０３であった。
【００５５】
次に、使用する一軸フィルムのリタデーションに対する、画素部分とその周辺部分の色差の関係を調べた。
【００５６】
図４は、図３の液晶表示素子の構成において発現するリタデーションと色差との関係を示す図である。図４において、ｘ軸は、各液晶表示素子の構成において発現するリタデーションの値を、液晶セルのリタデーションの値、すなわち５３０ｎｍで除した値を示す。一方、ｙ軸は、ΔＥ*ｕ*ｖ*表現による各液晶表示素子の色差を示す。
【００５７】
図４より、本発明の液晶表示素子の構成において発現するリタデーション、すなわち使用する一軸フィルムのリタデーションが大きくなるほど、ＯＦＦ電圧が印加された状態であるＯＦＦ時において、画素部分とその周辺部分とのΔＥ*ｕ*ｖ*表現における色差が大きくなることがわかる。
【００５８】
また、各液晶表示素子の構成において発現するリタデーションの値を液晶セルのリタデーションの値で除した値が３．０％以下である場合に、ΔＥ*ｕ*ｖ*表現における色差が３以下となることもわかる。
【００５９】
すなわち、ＯＦＦ表示において画素部分の存在が感じられることが無く、不均一な画像の印象を与えないようにするためには、各液晶表示素子の構成において発現するリタデーションの値を液晶セルのリタデーションの値で除した値が３．０％以下となるように、一軸フィルムのリタデーション等を設定することが望ましい。２．０％以下にすると、色差が１．５以下となって差異を視認できなくなることから、特に好ましい。
【００６０】
次に、液晶表示素子１と、位相差補償層５である一軸フィルムのリタデーションのみを変えた他は液晶表示素子１と全く同様の構造とした液晶表示素子とを用いて、１/１６デューティ駆動による画質評価を行った。具体的には、最低透過率を示す電圧をＯＦＦ電圧に設定し、１/１６デューティ駆動によるＯＮ時の透過率を評価した。
【００６１】
図５は、本液晶表示素子の構成において発現するリタデーションと、１/１６デューティ駆動によるＯＮ時の透過率との関係を示す図である。図５において、ｘ軸は、各液晶表示素子の構成において発現するリタデーションの値を、液晶セルのリタデーションの値、すなわち５３０ｎｍで除した値を示す。一方、ｙ軸は、１/１６デューティ駆動によるＯＮ時の透過率を示す。
【００６２】
図５より、本発明の液晶表示素子の構成において発現するリタデーション、すなわち使用する一軸フィルムのリタデーションが大きくなるほど、１/１６デューティ駆動によるＯＮ時の透過率が大きくなることがわかる。そして、液晶表示素子の構成において発現するリタデーション値を液晶セルのリタデーションの値で除した値が約１．３％を超える値になると、１/１６デューティ駆動によるＯＮ時の透過率が１４％を超えるので、非常に明るい高画質の画像表示を提供できる。
【００６３】
以上述べたように、本発明によれば、ＶＡモードにおいて液晶セルと偏光板の間に位相差補償層を設け、そのリタデーションの値と、進相軸と電圧印加時の液晶層配向方向とのなす角度とを調整することによって、ＯＦＦ透過率を上昇させることなしに、Ｖ−Ｔ特性の急峻性を改善することができる。したがって、高デューティ駆動を行った場合にも、視角度特性に優れた高コントラスト比の画像表示と、ＯＦＦ時でも均一性を損なわない画像表示とを同時に実現することが可能となる。
【００６４】
尚、本発明は上記各実施の形態に限定されるものではなく、本発明の趣旨を逸脱しない範囲内において、種々変形して実施することができる。
【図面の簡単な説明】
【００６５】
【図１】本実施の形態における液晶表示素子の部分断面図である。
【図２】本実施の形態における液晶表示素子のＶ−Ｔ曲線である。
【図３】本実施の形態における液晶表示素子の構成で発現するリタデーションと、電圧無印加時の透過率および最低透過率との関係を示す図である。
【図４】本実施の形態における液晶表示素子の構成で発現するリタデーションと色差との関係を示す図である。
【図５】本実施の形態における本液晶表示素子の構成で発現するリタデーションと１/１６デューティ駆動によるＯＮ時の透過率との関係を示す図である。
【図６】ＶＡモードの液晶表示素子で、Δｎｄを高く設定したときのＶ−Ｔ特性の変化を示す図である。
【符号の説明】
【００６６】
１  液晶表示素子
２  液晶セル
３，４  偏光板
５  位相差補償層
【図１】
2007163852.tif 000003
【図２】
2007163852.tif 000004
【図３】
2007163852.tif 000005
【図４】
2007163852.tif 000006
【図５】
2007163852.tif 000007
【図６】
2007163852.tif 000008